(57)【要約】【課題】  取り付けるハンガーの種類を選ばず、取付操作が簡単で、ＰＯＰ広告としての機能を発揮し得るハンガー取付用表示札を提供することを目的とする。【解決手段】  衣料用ハンガーの吊り下げ部挿通用の孔１７を有する表示札であり、孔１７を貫く折り目線（中央折り目線２１）と、この中央折り目線２１と並んで左右に２本ずつの折り目線（左・右第１，２折り目線２４，２５，２２，２３）を備えたものである。各折り目線２１〜２５をそれぞれ内側に折り曲げて、断面６角の一角が解放した筒状とし、孔１７にハンガー吊り下げ部８７を通してハンガー肩部８８及びスラックス６５上方を表示札１０により外側から覆う。左・右第１表示片１４，１１は隠れず、上方から視認し易い。【選択図】      図３
2005099627.tif 000002
【特許請求の範囲】
【請求項１】
衣料用ハンガーの吊り下げ部挿通用の孔を有する表示札であって、
前記孔を貫く折り目線と、この折り目線と並んで左右に２本ずつの折り目線を備えたものであることを特徴とするハンガー取付用表示札。
【請求項２】
前記孔は、前記ハンガーの肩幅方向に長く、該孔の長さが前記ハンガーの吊り下げ部の曲がり幅より大きく、該孔の幅が前記ハンガーの吊り下げ部の厚みより大きい請求項１に記載のハンガー取付用表示札。
【請求項３】
前記孔を貫く折り目線の左右隣りの前記折り目線が、前記孔を貫く折り目線と平行である請求項１または２に記載のハンガー取付用表示札。
【請求項４】
請求項１〜３のいずれかに記載のハンガー取付用表示札を使用する方法であって、
前記表示札の前記各折り目線をそれぞれ内側に折り曲げて、該表示札を断面６角の一角が解放した筒状とし、
前記表示札の前記孔にハンガーの吊り下げ部を挿通して、該表示札によりハンガーの肩部、またはこの肩部及び該ハンガーに装着された衣類を、外側から覆うことを特徴とするハンガー取付用表示札の使用方法。
【発明の詳細な説明】
【技術分野】
【０００１】
本発明は、衣料用ハンガーに取り付けられるハンガー取付用表示札、及びその使用方法に関するものである。
【背景技術】
【０００２】
衣料品の小売り販売店では、スラックスやスカート等をハンガーに装着し、これを横架状態のハンガー用支軸に多数引っ掛けて陳列することが一般に行われている。
【０００３】
スラックス等にはその商品説明等を記載した表示札が取り付けられており、従前では価格やサイズ等を表示した小さな下げ札を紐により取り付ける程度であったが、最近では販売促進を狙って、比較的大きな表示札を用い、これに広告を記載してスラックスのベルト部分や後ポケットに糸止めすることが行われている。尚この様な大きな表示札を用いた宣伝の為の表示は一般にＰＯＰ広告（point of purchase advertising）と呼ばれている。
【０００４】
この様なＰＯＰ広告の表示札としては、上記の如くスラックス等に直接糸止めする他、表示札に設けられた孔にハンガーの吊り下げ部を通し、これによりハンガーに装着したスラックス等の表示を行うものもある（ハンガー取付タイプ）。
【０００５】
図７は上記ハンガー取付タイプの表示札の一例を表す斜視図である（第１の従来例）。該表示札６０は孔６１の設けられた取付片６７と、広告等を記載する表示片６８とからなり、孔６１にハンガー吊り下げ部６３を通すことにより、表示片６８がハンガー６２の首部分６４に下げられる様になる（例えば、特許文献１参照）。
【０００６】
また図８はハンガー取付タイプの表示札の他の例を表す斜視図である（第２の従来例）。該表示札７０は、矩形のボール紙を２つの折り目線７５，７６で折り曲げて断面コ字状としたものであり、折り目線７５，７６間の中央片７２にハンガー吊り下げ部挿通用の孔７１が形成されている。スラックス６５はハンガー６６にそのクリップ７９によって装着されており、表示札７０の孔７１にハンガーの吊り下げ部７７を挿通し、中央片７２右隣の右側片７４と左隣の左側片７３によって、ハンガーの肩部７８及びスラックス６５上方を挟む様になっている。
【０００７】
宣伝広告の文言等は、第１の従来例（図７）では表示片６８に、第２の従来例（図８）では右側片７４や左側片７３に専ら表示される。取付片６７や中央片７２では面積が小さく、十分な記載が叶わないからである。
【０００８】
ところで第１，２の従来例の表示札６０，７０では、表示片６８や右側片７４，左側片７３が次第に外側に向けて跳ね上がり、ハンガー６２，６６から外れ易くなる問題がある。
【０００９】
そこで上記第２の従来例を改良し、図９［（ａ）は第３の従来例の表示札８０を表す平面図、（ｂ）はこの表示札８０の切り込み片８３ｂ，８４ｂを引っ掛けた様子を表す斜視図］に示す様に、２つ折りにした表示札８０の左右側片８３，８４の下端辺に切り込み８３ａ，８４ａを入れ、これらをクロスさせて互いを引っ掛ける様にしたものが考えられる（第３の従来例）。これによれば切り込み片８３ｂ，８４ｂが引っかかっているので、左右側片８３，８４は広がらず、ハンガーから外れ難い。
【特許文献１】特開平１０−３１４２１号公報（図５）
【発明の開示】
【発明が解決しようとする課題】
【００１０】
ところでスラックスやスカート等を装着するハンガーの代表例としては、図１０［クリップ垂下型ハンガー８６にスラックス６５を装着した様子を表す側面図］に示す様なクリップ垂下型ハンガー８６や、図１１［クリップ一体型ハンガー６６にスラックス６５を装着した様子を表す側面図］に示す様なクリップ一体型ハンガー６６が挙げられる。これらハンガーの形状を詳しく述べると、上記クリップ垂下型ハンガー８６は、肩部８８の中央から上方に突出した吊り下げ部８７と、肩部８８の両側から垂下したクリップ８９を備えたものであって、クリップ８９の摘み部８９ｂないし開閉軸８９ｃが肩部８８に取り付けられ、クリップ８９の挟み部８９ａが肩部８８よりも下方に位置し、該挟み部８９ａにスラックス６５のベルト部６５ａを挟む様になったものである。また上記クリップ一体型ハンガー６６は、肩部７８の両端部分がそのままクリップ７９となったものであり、クリップ７９全体によりスラックス６５のベルト部６５ａを挟み、押し下げられた挟み金具７９ｂによって把持する様にしたものである。そして上記と同じく肩部７８の中央から上方に突出した吊り下げ部７７を有する。このクリップ一体型ハンガー６６では肩部７８の高さまでスラックス６５のベルト部６５ａが位置する様になる。
【００１１】
上記第３の従来例の表示札８０をこれらハンガーに取り付けた場合に、上記クリップ垂下型ハンガー８６ではスラックス６５の上端６５ｂよりも肩部８８の下端８８ｂが上方に浮き上がっているので、この隙間８５に表示札８０の左右側片８３，８４を通して切り込み片８３ｂ，８４ｂを引っ掛けることが可能であるが（図９，１０）、上記クリップ一体型ハンガー６６ではハンガー肩部７８がスラックスベルト部６５ａに埋没する様に位置する為、左右側片８３，８４の切り込み片８３ｂ，８４ｂを引っ掛けることが出来ない（図９，１１）。或いは切り込み片８３ｂ，８４ｂを引っ掛けたところでスラックス６５の内に表示札８０が隠れてしまう。
【００１２】
またたとえクリップ垂下型ハンガー８６に取り付ける場合であっても、この切り込み片８３ｂ，８４ｂを引っ掛ける操作自体が煩雑であり、昨今の人員削減傾向から、煩雑な作業は敬遠されがちである。
【００１３】
加えて上述の様にハンガーに装着したスラックス等は、複数着が積層するようにして横架状態のハンガー用支軸に掛けられ、隣り合うスラックス等同士が近接することから、左右側片８３，８４に記載された広告等が隣のスラックス等によって隠される懸念がある。殊に量販店の場合は非常に多くのスラックス等がひしめき合う様に重なってハンガー用支軸に掛けられるから、隣のスラックス等と密着して左右側片８３，８４の広告等がますます見辛く、ＰＯＰ広告としての機能を発揮し得ない。
【００１４】
この問題は上記第１，２の従来例の表示札も同様であり、ハンガーに装着したスラックス等が多数重ねられた状態で陳列された場合に、表示片６８や左右側片７３，７４に記載された広告等が見えなくなることがある。
【００１５】
そこで本発明は上記の問題に鑑みてなされたものであり、クリップ垂下型ハンガー８６及びクリップ一体型ハンガー６６のいずれにも取付が可能であって、取り付けるハンガーを選ばず、しかもその取付操作が簡単で、加えてＰＯＰ広告としての機能を発揮し得るハンガー取付用表示札を提供することを目的とする。また該ハンガー取付用表示札の使用方法を提供することを目的とする。
【課題を解決するための手段】
【００１６】
本発明に係るハンガー取付用表示札は、衣料用ハンガーの吊り下げ部挿通用の孔を有する表示札であって、前記孔を貫く折り目線（以下、中央折り目線と称することがある）と、この折り目線（中央折り目線）と並んで左右に２本ずつの折り目線（以下、この２本ずつの折り目線のうち中央折り目線寄り方を左第１折り目線，右第１折り目線と称し、もう一方の方を左第２折り目線，右第２折り目線と称することがある）を備えたものであることを特徴とする。尚上記「右」，「左」は、中央折り目線に対して便宜上称しているだけであり、スラックス等の左右側に関連づけたものではない。
【００１７】
また該ハンガー取付用表示札の使用方法は、前記表示札の前記各折り目線をそれぞれ内側に折り曲げて、該表示札を断面６角の一角が解放した筒状とし、前記表示札の前記孔にハンガーの吊り下げ部を挿通して、該表示札によりハンガーの肩部、またはこの肩部及び該ハンガーに装着された衣類を、外側から覆うことを特徴とする。
【００１８】
この様にして本発明の表示札は使用されるものであり、中央折り目線と左・右第１，２折り目線の合計５本の折り目線を内側に折り曲げることにより、一角が解放した筒状となって容易に左右に広がることがないので、ハンガーから外れ難い。また表示札をハンガーに取り付ける操作としては、上記第３の従来例の様な引っ掛ける操作が不要で、表示札の上記孔にハンガー吊り下げ部を通しつつハンガー肩部の上から被せる様にするだけで済むから簡単である。また上記クリップ一体型ハンガーであっても装着が可能であり、ハンガーの種類を選ばない。
【００１９】
加えて、たとえハンガー用支軸に多数のスラックス等を重ねる様にして掛けても、中央折り目線と左・右第１折り目線の間の部分（以下、左第１表示片，右第１表示片と称することがある）は、上に向かって傾斜した面となるから、これを隣接するスラックス等が隠すということがなく、従って該左・右第１表示片に記載された広告等を購買客が視認し易く、ＰＯＰ広告としての機能を発揮できる。
【００２０】
本発明の表示札の素材としては、ボール紙の様なコシのある素材が好ましく、このボール紙の他、合成樹脂製シート等であっても良い。
【００２１】
また上記左・右第１折り目線（前記孔を貫く折り目線の左右隣りの前記折り目線）が、中央折り目線（前記孔を貫く折り目線）と平行であることが好ましい。この様に平行に配置されたものでは、左・右第１表示片の前方幅と後方幅が揃ったもの（例えば長方形）となる。一般に小売店ではハンガーに取付けたスラックス等を支軸に多数引っ掛けて陳列することが行われているが、このとき左・右第１表示片の前方幅と後方幅が同じであれば、多数のスラックス等を整然と並べることができる。
【００２２】
加えて本発明においては、表示札の前記孔が前記ハンガーの肩幅方向に長く、該孔の長さが前記ハンガーの吊り下げ部の曲がり幅より大きく、該孔の幅が前記ハンガーの吊り下げ部の厚みより大きいことが好ましい。尚ハンガーの吊り下げ部は支軸等に引っ掛ける為に湾曲した形状となっているが、上記「吊り下げ部の曲がり幅」とは、この湾曲した吊り下げ部の最大幅の意味であり、図３，１０，１１にＷ0で表す幅のことを言う。また上記「吊り下げ部の厚み」とは、上記曲がり幅Ｗ0と直交する方向の幅の意味であり、図３にＷ5で表す厚みのことを言う。
【００２３】
表示札をハンガー吊り下げ部に引っ掛けるだけの目的であれば、表示札の孔の大きさとしては吊り下げ部の太さよりもやや大きいものにすれば十分であるが、この場合は湾曲した吊り下げ部に沿って表示札を回しながら孔に通していく必要があり、取付操作に手間を要する。この点において、上記の如く孔の長さがハンガー吊り下げ部の曲がり幅より大きく、幅がハンガー吊り下げ部の厚みより大きいものであれば、吊り下げ部に向かって上方から真っ直ぐに通す操作で済み、簡単である。
【００２４】
上記表示部の孔の形状としては、長方形の他、この長方形の角部分を面取りした略長方形や、楕円形等が挙げられ、例えば楕円形の孔の場合では上記「孔の幅」とは短軸を指し、「孔の長さ」とは長軸を指す。要は、表示札の装着操作の際、表示札を上方からハンガーの肩幅方向と垂直な方向に進めたときに、ハンガー吊り下げ部を挿通することのできる形状，大きさの孔とするのが好ましい。
【発明の効果】
【００２５】
本発明に係るハンガー取付用表示札は取り付けるハンガーの種類を選ばず、またその取付操作が簡単で、容易に外れることがなく、更に衣料品を装着したハンガーを密に並べて支軸に掛けた場合でも、視認し易い表示面を有し、ＰＯＰ広告としての機能を発揮することができる。
【発明を実施するための最良の形態】
【００２６】
＜実施形態１＞
図１，２は本発明の実施形態１に係るハンガー取付用表示札１０を示す図であり、図２は該表示札１０を広げた状態の平面図で、図１は折り曲げた状態を表す斜視図である。また図３は該表示札１０の使用状態を表す斜視図である。
【００２７】
表示札１０は外形が長方形で、中央にハンガー吊り下げ部挿通用の孔１７が設けられたものであり、この孔１７の中央を貫いて中央折り目線２１が形成され、また中央折り目線２１と平行にその左右にそれぞれ２本ずつの折り目線２４，２５，２２，２３が形成されたものである。尚中央折り目線２１と左第１折り目線２４の間の部分を左第１表示片１４、中央折り目線２１と右第１折り目線２２の間の部分を右第１表示片１１、左第１折り目線２４と左第２折り目線２５の間の部分を左第２表示片１５、右第１折り目線２２と右第２折り目線２３の間の部分を右第２表示片１２、左第２折り目線２５と左側端１６ａの間の部分を左第３表示片１６、右第２折り目線２３と右側端１３ａの間の部分を右第３表示片１３と呼ぶ。尚説明を分かり易くする為に、上記の如く便宜上、中央折り目線２１に対して「右」，「左」と称する。
【００２８】
表示札１０は中央折り目線２１を中心に左右対称となっており、左第１表示片１４と右第１表示片１１、左第２表示片１５と右第２表示片１２、左第３表示片１６と右第３表示片１３が、それぞれ同じ大きさ、形状である。中央折り目線２１はハンガーに取り付けたとき、ハンガーの肩幅方向（矢印Ｘ）となる。
【００２９】
上記孔１７は細長い長方形であり、その長手方向が中央折り目線２１の方向に沿い、またその折り目線方向（矢印Ｘで示す方向）における位置としては中央に位置している。孔１７の長さＷ1は、一般的なハンガーにおける吊り下げ部の曲がり幅Ｗ0よりもやや長くなっており、また孔１７の幅Ｗ2は一般的なハンガーにおける吊り下げ部の厚みＷ5よりもやや広くなっている。
【００３０】
表示札１０は適度なコシのあるボール紙からなり、このボール紙を各折り目線２１〜２５でプレスして折り曲げ易い様にしてある。
【００３１】
次にこの表示札１０の使用方法について説明する。
【００３２】
まず表示札１０の各折り目線２１〜２５をそれぞれ内側に折り曲げ、図１に示す様に、表示札１０を断面６角の一角が解放した筒状とする（尚図１中、１８は解放箇所である）。次に、スラックス６５を装着したハンガー８６に対して表示札１０の解放箇所１８を嵌める様にしつつ、更に嵌め進めてハンガー８６の吊り下げ部８７を表示札１０の孔１７に挿通する（図３）。このとき、孔１７は吊り下げ部８７曲がり幅Ｗ0及び厚みＷ5よりもやや大きい長さＷ1と幅Ｗ2になっているから、表示札１０をハンガー８６に向かって真っ直ぐに下ろすだけで、吊り下げ部８７を孔１７に通すことができる。
【００３３】
この操作により、スラックス６５装着のハンガー８６への表示札１０の取付が完了する。この取付状態は、ハンガー８６の肩部８８及びスラックス６５の上方部分（例えばベルト部６５ａ）を包み込む様に、表示札１０が外側から覆うものとなる。
【００３４】
この様に実施形態１は、第３の従来例の様な切り込み片８３ｂ，８４ｂを引っ掛ける操作が不要で、しかも表示札１０を真っ直ぐに進めて被せるだけであるから、取付操作が非常に簡単である。尚ハンガーへの装着者に対して表示札１０を提供するにあたり、予め各折り目線２１〜２５を折り曲げて断面６角の一角が解放した筒状の表示札１０の状態にしておけば、装着者は表示札１０をハンガー吊り下げ部８７に通して被せるだけで済み、非常に手間が省ける。
【００３５】
加えて表示札１０を被せる様にして取り付ける形態であるから、図１１に示す様なクリップ一体型ハンガー６６であっても取り付けることができ、ハンガーの種類を選ばない。
【００３６】
また表示札１０は中央折り目線２１を中心として左右対称にハンガー８６等に被せられるものであるが、その右側，左側はいずれも２つの折り目線（右第１折り目線２２と右第２折り目線２３、左第１折り目線２４と左第２折り目線２５）を有し、この２つの折り目線で２段階に折り曲げられているから、表示札１０の左右側が大きく広がることがなく、従って表示札１０が簡単に外れない。
【００３７】
更に図４［スラックス６５を装着したハンガー８６を、密に多数並べて支軸６９に掛けた様子を表す斜視図］に示す様に、仮にスラックス６５装着のハンガー８６を多数密に並べられて支軸６９に掛けた場合であっても、左第１表示片１４と右第１表示片１１の作る角度が急にはなるものの、これら左・右第１表示片１４，１１は上向きであるから、隣接するスラックス６５等によって隠されることがなく、左・右第１表示片１４，１１に記載された広告等が購買客に良く見え、ＰＯＰ広告としての機能が発揮される。
【００３８】
なお、本実施形態１の様に一角を解放した断面６角とせずに、例えば断面Ｃ字の円筒状の表示札においても、その上方部分は上向きとなって視認され易いものとなるが、非常に密にスラックス６５装着ハンガー８６を掛けた場合には、上記円筒状表示札では扁平に潰れ易く、あたかも図９の（ａ）の様な２つ折りの表示札となってしまい、表示が見辛くなる。円筒状を保ち得るしっかりとした素材を用いれば、上記の如く２つ折りになることはないが、高コストになる。これに対して本実施形態１の表示札１０は断面６角であるから、左右から押されても左・右第１，３表示片１４，１１，１６，１３が縦に急な傾斜面になるだけであり、またその角度もスラックス６５やハンガー８６の厚みによって極端に急角度になることがないので、十分に左・右第１表示片１４，１１に記載された広告等を購買客が十分に視認することができる。しかも表示札１０の素材としても高価なものを用いる必要がなく、ボール紙の様な安価な素材で良いので、低コストである。
【００３９】
＜実施形態２，３＞
図５は本発明の実施形態２に係るハンガー取付用表示札２０の広げた状態を表す平面図である。また図６は本発明の実施形態３に係るハンガー取付用表示札３０の広げた状態を表す平面図である。尚図１，２と同じ構成部分については同一の符号を付して重複説明を避ける。
【００４０】
実施形態１では上記各折り目線２１〜２５が平行で、ハンガー８６に装着した際にハンガー８６の肩幅方向に一致するものを示したが、実施形態２では図５に示す様に、左・右第１折り目線３４，３２が中央折り目線２１に対して斜めとなっており、左・右第１表示片１４，１１が台形になっている（前側辺の長さＷ3＜後側辺の長さＷ4）。また上記実施形態１では表示札１０の外形が長方形のものを示したが、実施形態２では外形のそれぞれの角部分１３ｄ，１３ｅ，１６ｄ，１６ｅがカットされたものとなっている。
【００４１】
実施形態３では図６に示す様に、表示札３０の外形についてそれぞれの角部分１３ｂ，１３ｃ，１６ｂ，１６ｃが丸くカットされており、また孔についてもその両端が丸い細長の孔２７となっている。
【００４２】
これら実施形態２，３においても、スラックス等装着のハンガーに該表示札２０，３０を取り付ける操作が簡単で、またハンガーの種類を選ばず、更に左右側いずれも２段階に折り曲げられているから容易には広がらずに外れ難い。加えて第１表示片１４，１１の表示が斜め上方を向くので隠れず、見え易い。
【００４３】
尤も実施形態２の様に第１表示片１４，１１が台形のものよりも、実施形態１，３の様に第１表示片１４，１１が長方形の方が、図４に示す様に多数のスラックス等を支軸に引っ掛けて陳列する場合に、整然と並べることができるので好ましい。殊に量販店においてはセルフサービスとなっており、客自身がハンガーを支軸に引っ掛けることから、店員の様に整えて引っ掛けるという操作があまり期待できず、従って第１表示片が台形であると、上記支軸への陳列状態が乱れ易く、売り場の美観を損ねる懸念がある。この点、第１表示片が長方形であれば、陳列状態の乱れが起き難い。
【００４４】
以上、本発明に係るハンガー取付用表示札及びその使用方法に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００４５】
例えば上記実施形態１では、折り目線２１〜２５の箇所をプレスすることにより他の部分よりも柔らかくして折り曲げ易い様にしたものを示したが、予め折り癖を付ける様にしても良い。
【図面の簡単な説明】
【００４６】
【図１】本発明の実施形態１に係るハンガー取付用表示札の折り曲げた状態を表す斜視図である。
【図２】本発明の実施形態１に係るハンガー取付用表示札の広げた状態を示す平面図である。
【図３】実施形態１のハンガー取付用表示札の使用状態を表す斜視図である。
【図４】スラックスを装着したハンガーを、密に多数並べて支軸に掛けた様子を表す斜視図である。
【図５】本発明の実施形態２に係るハンガー取付用表示札の広げた状態を表す平面図である。
【図６】本発明の実施形態３に係るハンガー取付用表示札の広げた状態を表す平面図である。
【図７】第１の従来例の表示札を表す斜視図である。
【図８】第２の従来例の表示札を表す斜視図である。
【図９】第３の従来例の表示札を表す図である。
【図１０】クリップ垂下型ハンガーにスラックスを装着した様子を表す側面図である。
【図１１】クリップ一体型ハンガーにスラックスを装着した様子を表す側面図である。
【符号の説明】
【００４７】
１０，２０，３０  ハンガー取付用表示札
１１  右第１表示片
１２  右第２表示片
１３  右第３表示片
１３ａ  右側端
１４  左第１表示片
１５  左第２表示片
１６  左第３表示片
１６ａ  左側端
１７，２７  孔
１８  解放箇所
２１  中央折り目線
２２  右第１折り目線
２３  右第２折り目線
２４  左第１折り目線
２５  左第２折り目線
６５  スラックス
６２，６６，８６  ハンガー
７７，８７  吊り下げ部
７８，８８  肩部
【図１】
2005099627.tif 000003
【図２】
2005099627.tif 000004
【図３】
2005099627.tif 000005
【図４】
2005099627.tif 000006
【図５】
2005099627.tif 000007
【図６】
2005099627.tif 000008
【図７】
2005099627.tif 000009
【図８】
2005099627.tif 000010
【図９】
2005099627.tif 000011
【図１０】
2005099627.tif 000012
【図１１】
2005099627.tif 000013